(57)【特許請求の範囲】
【請求項１】
三角柱状トラス鉄筋１０を並行に配設するとともに、その各トラス鉄筋１０間に長尺状ボイド型枠２を配設し、そのトラス鉄筋１０の並行方向の上配筋３及び下配筋４を前記トラス鉄筋１０に固定したトラス鉄筋付中空スラブユニットＵにおいて、
上記トラス鉄筋１０は、三角柱状の各長辺の位置に１本の上主鉄筋１１と２本の下主鉄筋１２、１２を配置するとともに前記上主鉄筋１１と両下主鉄筋１２の間にそれぞれ斜鉄筋１３を設けたものであり、その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されており、
上記ボイド型枠２は、その下部両側がそれぞれ隣り合う三角柱状トラス鉄筋１０の斜鉄筋１３に当接するとともにその上面が上記上配筋３に当接し、その３点の当接によってトラス鉄筋１０間に固定されていることを特徴とするトラス鉄筋付中空スラブユニット。
【発明の詳細な説明】
【０００１】
【発明の属する分野】
この発明は、集合住宅などの中空スラブを形成する際に使用するトラス鉄筋付中空スラブユニットに関するものである。
【０００２】
【従来の技術】
この種のトラス鉄筋付中空スラブユニットとして、特開２００１−３１７１４７号公報に開示され、本願発明の実施例に示す図４のように、三角柱状トラス鉄筋１０を並行に配設するとともに、その各トラス鉄筋１０間に長尺状ボイド型枠２を配設し、そのトラス鉄筋１０の並行方向の上配筋３及び下配筋４を前記トラス鉄筋１０に溶接し、前記トラス鉄筋１０は、三角柱状の各長辺の位置に１本の上主鉄筋１１と２本の下主鉄筋１２を配置するとともに前記上主鉄筋１１と両下主鉄筋１２の間にそれぞれ斜鉄筋１３を設けたものであり、その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されたものがある。
【０００３】
【発明が解決しようとする課題】
上記公開公報に記載のトラス鉄筋付中空スラブユニットは、そのボイド型枠２の固定に、上下配筋３、４や斜鉄筋１３などの三角柱状トラス鉄筋１０を構成する部材以外のベルトや湾曲した帯材などの保持部材を使用している。これらの保持部材は単にボイド型枠２を固定するだけのためであって、上下配筋３、４や三角柱状トラス鉄筋１０などの各筋のようにスラブの強度を担うものではない。このため、従来のトラス鉄筋付中空スラブユニットには、その保持部材の材料コスト及びその取付作業コストが加わり、コスト高となっている。低コスト化が叫ばれる今日、トラス鉄筋付中空スラブユニットも例外ではない。
【０００４】
この発明は、上記保持部材以外の部材でボイド型枠を固定することを課題とする。
【０００５】
【課題を解決するための手段】
上記課題を解決するために、この発明は、３点で支持すれば、物は固定し得ることに着目し、上配筋と両トラス鉄筋でボイド型枠を固定することとしたのである。隣り合う三角柱状トラス鉄筋の斜鉄筋は下方に向かって近づくＶ字状をなし、その内にボイド型枠を嵌めれば、左右及び下方への移動は阻止され、上配筋でボイド型枠の上面を押さえれば、上方への移動は阻止される。すなわち、ボイド型枠はスラブの強度を担う上配筋と両斜鉄筋とによって固定される。
【０００６】
【発明の実施形態】
この発明の実施の形態としては、三角柱状トラス鉄筋を並行に配設するとともに、その各トラス鉄筋間に長尺状ボイド型枠を配設し、そのトラス鉄筋の並行方向の上配筋及び下配筋を前記トラス鉄筋に固定したトラス鉄筋付中空スラブユニットにおいて、前記トラス鉄筋は、三角柱状の各長辺の位置に１本の上主鉄筋と２本の下主鉄筋を配置するとともに前記上主鉄筋と両下主鉄筋の間にそれぞれ斜鉄筋を設けたものであり、その斜鉄筋は、下端から斜めに起立し上端で屈曲しさらに下端で起立を繰り返す波形を呈して上端部及び下端部で前記上主鉄筋及び下主鉄筋にそれぞれ溶接されており、前記ボイド型枠は、その下部両側がそれぞれ隣り合うトラス鉄筋の斜鉄筋に当接するとともにその上面が前記上配筋に当接し、その３点の当接によってトラス鉄筋間に固定されている構成を採用し得る。
【０００７】
【実施例】
図５乃至図１３に一実施例を示し、この実施例は、矩形鉄板１の上に、三角柱状トラス鉄筋１０を並行に配設するとともに、その各トラス鉄筋１０間にパイプ状ボイド型枠２を配設し、そのトラス鉄筋１０の並行方向の上配筋３及び下配筋４をトラス鉄筋１０の上部及び下部に溶接している。溶接に代えて、番線による締結などを採用できる。
【０００８】
上記三角柱状トラス鉄筋１０は、三角柱状の各長辺の位置に１本の上主鉄筋１１と２本の下主鉄筋１２、１２を配置するとともに前記上主鉄筋１１と両下主鉄筋１２の間にそれぞれ斜鉄筋１３を設けたものである。その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されている。また、斜鉄筋１３の下端が鉄板１に溶接されて、トラス鉄筋１０は鉄板１と一体になっている。
【０００９】
上記ボイド型枠２は、その下部両側がそれぞれ隣り合うトラス鉄筋１０の斜鉄筋１３に当接するとともにその上面が上記上配筋３に当接し、その３点１３ａ、１３ａ、３ａの当接によってトラス鉄筋１０、１０間に固定されている（図８参照）。このため、ボイド型枠２はそれらの筋１０、３の組み立てと同時に固定されることとなる。実施例では、ボイド型枠２はその下面が下配筋４に接して下配筋４によっても支えられている。
【００１０】
上下主鉄筋１１、１２の両端は鉄板１から突出し、各上主鉄筋１１のその突出部から対の斜板片５が斜め下方に設けられて溶接されている。
【００１１】
この実施例は以上の構成であり、図１に示す集合住宅の中空スラブＳを作る際に使用する。すなわち、躯体の各階の支柱（梁）をなすＨ型鋼６間に、図２乃至図４に示すようにこのユニットＵの所要数を掛け渡して配置する。そのとき、図２に示すように、Ｈ型鋼６上に斜板片５を載置して溶接することにより各ユニットＵを固定する。
【００１２】
図３に示すように、ユニットＵの配置が修了すれば、その上にコンクリートＣを打設して中空スラブを構築する。このとき、鉄板１は捨て型枠とする。図中、７はコンクリートパネルである。
【００１３】
このユニットＵは鉄板１を除いたものとすることができ、その際、床型枠は別途に設ける。また、ボイド型枠２は鋼製パイプに代えて、スパイラル管、樹脂管、発泡樹脂中実管などを採用し得る。
【００１４】
【発明の効果】
この発明は、以上のように、上下配筋や斜鉄筋などの三角柱状トラス鉄筋を構成する部材によって、３点支持でボイド型枠をユニット内に固定するようにしたので、ユニットのコストダウンを図ることができる。
【図面の簡単な説明】
【図１】一実施例による中空スラブの施工例の概略図
【図２】同施工例の要部切断正面図
【図３】同施工例の実施例の配置説明図
【図４】同施工例のスラブ部分斜視図
【図５】一実施例の平面図
【図６】同実施例の正面図
【図７】同実施例の底面図
【図８】同実施例の右側面図
【図９】図５のＡ−Ａ断面図
【図１０】図５のＢ−Ｂ、Ｃ−Ｃ拡大図
【図１１】図６のＤ−Ｄ、Ｅ−Ｅ拡大図
【図１２】図６のＦ−Ｆ拡大図
【図１３】図９のＧ−Ｇ、Ｈ−Ｈ拡大図
【符号の説明】
１  鉄板
２  ボイド型枠（パイプ）
３  上配筋
４  下配筋
５  斜板片
６  Ｈ型鋼
１０  三角柱状トラス鉄筋
１１  上主鉄筋
１２  下主鉄筋
１３  斜鉄筋
Ｃ  コンクリ−ト
Ｓ  中空スラブ
【図１】
0003853237.tif 000002
【図２】
0003853237.tif 000003
【図３】
0003853237.tif 000004
【図４】
0003853237.tif 000005
【図５】
0003853237.tif 000006
【図６】
0003853237.tif 000007
【図７】
0003853237.tif 000008
【図８】
0003853237.tif 000009
【図９】
0003853237.tif 000010
【図１０】
0003853237.tif 000011
【図１１】
0003853237.tif 000012
【図１２】
0003853237.tif 000013
【図１３】
0003853237.tif 000014